(57)【特許請求の範囲】
【請求項１】
被検体の治療を計画するために撮像して得られる治療計画用画像データと、前記被検体を治療する際に撮像して得られる位置確認用画像データとの位置合わせを実行するための前処理の内容が、被検体または治療の部位ごとに記憶された第１の記憶部と、
前記治療計画用画像データと前記位置確認用画像データの位置合わせを実行し重ね合わせた合成画像データに対し、操作者がその合成画像データを確認する確認作業の内容が、被検体または治療の部位ごとに記憶された第２の記憶部と、
前記治療計画用画像データと前記位置確認用画像データとを入力する画像データ入力部と、
入力された前記治療計画用画像データと前記位置確認用画像データとにより示される被検体または治療の部位に対応する前記前処理の内容を前記第１の記憶部から読み出してその前処理の内容を再現する前処理再現部と、
前記前処理がされた、前記治療計画用画像データと前記位置確認用画像データとの位置合わせを実行する位置合わせ実行部と、
位置合わせが実行された前記治療計画用画像データと前記位置確認用画像データとを重ね合わせた合成画像データにより示される被検体または治療の部位に対応する前記確認作業の内容を前記第２の記憶部から読み出してその確認作業の内容を再現する確認作業再現部と、
を備える放射線治療システム。
【請求項２】
前記前処理の内容は、前記治療計画用画像データと前記位置確認用画像データのＷＬ（Window Level）／ＷＷ（Window Width）と、拡大率又は縮小率と、前記合成画像データのパンの程度と、カラーの設定値とのうち少なくとも１つに関するパラメータを含み、
前記確認作業の内容は、前記合成画像データのスライス面の枚数と、拡大率又は縮小率と、連動カーソル表示の要否と、グレースケール反転の要否とのうち少なくとも１つに関するパラメータを含む
請求項１に記載の放射線治療システム。
【請求項３】
前記第１の記憶部または前記第２の記憶部の少なくともいずれかは、
前記前処理の内容または前記確認作業の内容に応じたテンプレートを予め複数記憶し、
前記前処理再現部または前記確認作業再現部は、
複数の前記テンプレートの中から選択されたテンプレートに基づいて、前記前処理の内容または前記確認作業の内容を再現する
請求項１または２に記載の放射線治療システム。
【請求項４】
前記第２の記憶部は、
前記治療計画用画像データと前記位置確認用画像データとを重ね合せた前記合成画像データの前記確認作業の内容に、前記操作者が確認すべき領域を含めて記憶し、
前記確認作業再現部は、
位置合わせが実行された前記治療計画用画像データと前記位置確認用画像データとに基づく合成画像データにおいて、前記操作者が前記確認すべき領域を表示可能に出力する
請求項１から３のいずれか１項に記載の放射線治療システム。
【請求項５】
前記第２の記憶部は、
重ね合せた前記合成画像データの前記確認作業の内容に、前記操作者が確認すべき領域を含めて記憶する領域設定テンプレートを複数有し、
前記確認作業再現部は、
複数の前記領域設定テンプレートの中から選択された領域設定テンプレートに基づいて、位置合わせが実行された前記合成画像データにおいて、前記操作者が前記確認すべき領域を表示可能に出力する
請求項４に記載の放射線治療システム。
【請求項６】
前記第２の記憶部は、
前記治療計画用画像データまたは前記位置確認用画像データのいずれか一方の濃度値を反転させる設定を、前記確認作業の内容に含めて記憶し、
前記確認作業再現部は、
前記濃度値を反転させた前記位置確認用画像データまたは前記治療計画用画像データと、他方の前記位置確認用画像データまたは前記治療計画用画像データとを重ね合せ、その重ね合せた画像データを前記合成画像データとしてその合成画像データに対し、前記確認作業の内容を再現する
請求項１から５のいずれか１項に記載の放射線治療システム。
【請求項７】
前記第２の記憶部は、
前記位置確認用画像データの濃度値を反転させる設定を、前記確認作業の内容に含めて記憶し、
前記確認作業再現部は、
その濃度値を反転させた前記位置確認用画像データと、前記治療計画用画像データとを重ね合せ、その重ね合せた画像データを前記合成画像データとしてその合成画像データに対し、前記確認作業の内容を再現する
請求項６に記載の放射線治療システム。
【請求項８】
前記位置合わせ実行部は、
前記治療計画用画像データと前記位置確認用画像データの位置合わせを行った際の画像の位置ずれを計算する
請求項１から７のいずれか１項に記載の放射線治療システム。
【請求項９】
前記第２の記憶部は、
前記位置合わせ実行部で計算される前記画像の位置ずれの記録または出力の設定を、前記確認作業の内容に含めて記憶し、
前記確認作業再現部は、
前記位置合わせ実行部で計算された前記画像の位置ずれを記録または出力する
請求項８に記載の放射線治療システム。
【請求項１０】
前記被検体を撮像する撮像部と、
前記被検体を撮像して得られる前記位置確認用画像データを生成する画像データ生成部と、
をさらに備える請求項１から９のいずれか１項に記載の放射線治療システム。
【発明の詳細な説明】
【技術分野】
【０００１】
本発明に係る実施形態は、放射線治療システムに関するものである。
【背景技術】
【０００２】
放射線治療では、治療計画時の撮像によって画像データを生成し、その画像データを基に治療計画データが生成される。また、治療直前にも撮像により画像データを生成する。
【０００３】
そして、治療直前の画像データと治療計画用の画像データとが位置合わせされて、治療直前の画像データの治療計画用の画像データからのずれが算出され、そのずれの分だけ治療直前の撮像の際の患者位置をずらして再ポジショニングを行なうようになっている。
【０００４】
このように、従来、再ポジショニングを行なった上で、患者の治療部位に対して放射線が照射され、放射線治療が実施されていた。
【０００５】
ここで、Ｘ線ＣＴ装置において、治療計画用の画像データと治療直前の画像データとを正確に位置合わせを行う放射線治療システムが提案されている（特許文献１参照）。
【先行技術文献】
【特許文献】
【０００６】
【特許文献１】特開２０１２−３５０７２号公報
【発明の概要】
【発明が解決しようとする課題】
【０００７】
従来技術によれば、治療直前の画像データと治療計画用の画像データとの位置合わせの作業を行うための前処理作業や、位置合わせ後の確認作業におけるパラメータなどの設定作業は、操作者がその都度、設定するようになっていた。
【０００８】
操作者が行っていた前処理作業や確認作業におけるパラメータの設定作業などは、複数の設定項目があるため、各項目についてそれぞれ設定する必要があり、設定に手間と時間を必要としていた。
【０００９】
そこで、検査や治療を行う際、位置合わせ時の前処理作業や位置合わせ後の画像データの確認作業の設定の手間と設定に要する時間を削減することができる放射線治療システムが望まれていた。
【課題を解決するための手段】
【００１０】
本実施形態の放射線治療システムは、上述した課題を解決するために、被検体の治療を計画するために撮像して得られる治療計画用画像データと、前記被検体を治療する際に撮像して得られる位置確認用画像データとの位置合わせを実行するための前処理の内容が、被検体または治療の部位ごとに記憶された第１の記憶部と、前記治療計画用画像データと前記位置確認用画像データの位置合わせを実行し重ね合わせた合成画像データに対し、操作者がその合成画像データを確認する確認作業の内容が、被検体または治療の部位ごとに記憶された第２の記憶部と、前記治療計画用画像データと前記位置確認用画像データとを入力する画像データ入力部と、入力された前記治療計画用画像データと前記位置確認用画像データとにより示される被検体または治療の部位に対応する前記前処理の内容を前記第１の記憶部から読み出してその前処理の内容を再現する前処理再現部と、前記前処理がされた、前記治療計画用画像データと前記位置確認用画像データとの位置合わせを実行する位置合わせ実行部と、位置合わせが実行された前記治療計画用画像データと前記位置確認用画像データとを重ね合わせた合成画像データにより示される被検体または治療の部位に対応する前記確認作業の内容を前記第２の記憶部から読み出してその確認作業の内容を再現する確認作業再現部と、を備える。
【図面の簡単な説明】
【００１１】
【図１】本実施形態の放射線治療システムの一部を示す外観図。
【図２】本実施形態の放射線治療システムの全体を示す構成図。
【図３】本実施形態の放射線治療システムの機能を示すブロック図。
【図４】本実施形態の放射線治療システムが、治療計画ボリュームデータを生成し記憶する治療計画作成処理を示すフローチャート。
【図５】本実施形態の放射線治療システムが、治療計画ボリュームデータと位置確認用画像データとに対し、前処理の内容と確認作業の内容を治療前に設定する事前設定処理を示すフローチャート。
【図６】本実施形態の放射線治療システムにおいて、前処理の内容として、治療計画ボリュームデータと位置確認用画像データとを重ね合せるための条件の一例を示した説明図。
【図７】本実施形態の放射線治療システムにおいて、治療計画ボリュームデータと位置確認用画像データの位置合わせを実行し重ね合わせた合成画像データに対し、操作者がその合成画像データを確認する確認作業の内容の一例を示した説明図。
【図８】本実施形態の放射線治療システムが、治療計画ボリュームデータと位置確認用画像データとに対して位置合わせを実行し、治療計画ボリュームデータと位置確認用画像データとに基づく合成画像データに対し、確認作業の内容を再現する作業自動化設定処理を示すフローチャート。
【図９】各ボリュームデータに基づく表示画像の一例を模式的に示す図。
【図１０】ステップＳＴ２６において位置合わせを実行した際、画像の位置ずれを計算した位置ずれ結果を示した説明図。
【図１１】甲状腺の周辺を撮像した合成画像データについて、ｘ軸方向に沿ってスライス移動する場合の一例を模試的に示した図。
【図１２】甲状腺の周辺を撮像した合成画像データについて、ｙ軸方向に沿ってスライス移動する場合の一例を模試的に示した図。
【図１３】甲状腺の周辺を撮像した合成画像データについて、ｚ軸方向に沿ってスライス移動する場合の一例を模試的に示した図。
【発明を実施するための形態】
【００１２】
本実施形態の放射線治療システムについて、添付図面を参照して説明する。
図１は、本実施形態の放射線治療システムの一部を示す外観図である。図２は、本実施形態の放射線治療システムの全体を示す構成図である。
【００１３】
図１及び図２は、本実施形態の放射線治療システム１を示す。放射線治療システム１は、画像表示装置１０、撮像装置２０、寝台装置３０、治療計画装置４０、及び放射線治療装置（ライナック：治療計画データに基づいて放射線を照射して治療を行なう放射線治療装置）５０によって構成される。
【００１４】
撮像装置２０、寝台装置３０、及び放射線治療装置５０は、図１に示すように、通常は検査室に設置される。一方、画像表示装置１０は、通常は検査室に隣接する制御室に設置される。
【００１５】
治療計画装置４０は、検査室及び制御室の外側に設置される。なお、治療計画装置４０は、制御室に設置されてもよいし、画像表示装置１０と一体の装置であってもよい。また、撮像装置２０の代表的な例としては、Ｘ線ＣＴ装置、ＭＲＩ（Magnetic Resonance Imaging）装置、Ｘ線装置等が挙げられる。以下、撮像装置２０は、Ｘ線ＣＴ装置２０ａにて構成される場合について説明する。
【００１６】
放射線治療システム１の画像表示装置１０は、図２に示すように、コンピュータをベースとして構成されており、図示しない病院基幹のＬＡＮ（Local Area Network）等のネットワークと相互通信可能である。画像表示装置１０は、大きくは、ＣＰＵ（Central Processing Unit）１１、メインメモリ１２、画像メモリ１３、ＨＤＤ（Hard Disc Drive）１４、入力装置１５、及び表示装置１６等の基本的なハードウェアから構成される。なお、画像表示装置１０は、記録媒体ドライブを具備してもよい。
【００１７】
ＣＰＵ１１は、共通信号伝送路としてのバスを介して、画像表示装置１０を構成する各ハードウェア構成要素に相互接続されている。医師等の操作者によって入力装置１５が操作等されることにより指令が入力されると、ＣＰＵ１１は、メインメモリ１２に記憶しているプログラムを実行する。又は、ＣＰＵ１１は、ＨＤＤ１４に記憶しているプログラム、ネットワークから転送されてＨＤＤ１４にインストールされたプログラム、又は記録媒体ドライブ（図示しない）に装着された記録媒体から読み出されてＨＤＤ１４にインストールされたプログラムを、メインメモリ１２にロードして実行する。
【００１８】
メインメモリ１２は、ＲＯＭ（Read Only Memory）及びＲＡＭ（Random Access Memory）等の要素を兼ね備える構成をもつ記憶装置である。メインメモリ１２は、ＩＰＬ（Initial Program Loading）、ＢＩＯＳ（Basic Input/Output System）及びデータを記憶したり、ＣＰＵ１１のワークメモリやデータの一時的な記憶に用いられたりする。
【００１９】
画像メモリ１３は、２次元画像データとしてのスライスデータや、３次元画像データとしての治療計画ボリュームデータ及び治療直前ボリュームデータを記憶する記憶装置である。
【００２０】
ＨＤＤ１４は、磁性体を塗布又は蒸着した金属のディスクが着脱不能で内蔵されている構成をもつ記憶装置である。ＨＤＤ１４は、画像表示装置１０にインストールされたプログラム（アプリケーションプログラムの他、ＯＳ（Operating System）等も含まれる）や、データを記憶する記憶装置である。また、ＯＳに、術者等の操作者に対する表示装置１６への情報の表示にグラフィックを多用し、基礎的な操作を入力装置１５によって行なうことができるＧＵＩ（Graphical User Interface）を提供させることもできる。
【００２１】
入力装置１５は、操作者によって操作が可能なポインティングデバイスであり、操作に従った入力信号がＣＰＵ１１に送られる。
【００２２】
表示装置１６は、図示しない画像合成回路、ＶＲＡＭ（Video Random Access Memory）、及びディスプレイ等を含んでいる。画像合成回路は、画像データに種々のパラメータの文字データ等を合成した合成データを生成する。ＶＲＡＭは、合成データを、ディスプレイに表示する表示画像データとして展開する。ディスプレイは、液晶ディスプレイやＣＲＴ（Cathode Ray Tube）等によって構成され、表示画像データを表示画像として順次表示する。
【００２３】
画像表示装置１０は、Ｘ線ＣＴ装置２０ａ、寝台装置３０、及び放射線治療装置５０の動作を制御する。画像表示装置１０は、Ｘ線ＣＴ装置２０ａのＤＡＳ２４から入力された生データに対して対数変換処理や、感度補正等の補正処理（前処理）を行なって投影データを生成し、投影データを基に２次元画像データとしてのスライスデータや３次元画像データとしてのボリュームデータを生成する。
【００２４】
放射線治療システム１のＸ線ＣＴ装置２０ａは、患者（被検体）Ｏの癌・腫瘍等の治療部位を含む領域の画像データを表示するために、治療部位を含む領域を撮像する。Ｘ線ＣＴ装置２０ａは、放射線源としてのＸ線管２１、絞り２２、Ｘ線検出器２３、ＤＡＳ（Data Acquisition System）２４、回転部２５、高電圧供給装置２６、絞り駆動装置２７、回転駆動装置２８、及び撮像コントローラ２９を設ける。
【００２５】
Ｘ線管２１は、高電圧供給装置２６から供給された管電圧に応じて金属製のターゲットに電子線を衝突させることで制動Ｘ線を発生させ、Ｘ線をＸ線検出器２３に向かって照射する。Ｘ線管２１から照射されるＸ線によって、ファンビームＸ線やコーンビームＸ線が形成される。
【００２６】
絞り２２は、絞り駆動装置２７によって、Ｘ線管２１から照射されるＸ線の照射範囲を調整する。すなわち、絞り駆動装置２７によって絞り２２の開口を調整することによって、Ｘ線照射範囲を変更できる。
【００２７】
Ｘ線検出器２３は、マトリクス状、すなわち、チャンネル方向に複数チャンネル、スライス方向に複数列のＸ線検出素子を有する２次元アレイ型のＸ線検出器２３（マルチスライス型検知器ともいう。）である。Ｘ線検出器２３のＸ線検出素子は、Ｘ線管２１から照射されたＸ線を検出する。
【００２８】
ＤＡＳ２４は、Ｘ線検出器２３の各Ｘ線検出素子が検出する透過データの信号を増幅してデジタル信号に変換する。ＤＡＳ２４の出力データは、撮像コントローラ２９を介して画像表示装置１０に供給される。
【００２９】
回転部２５は、Ｘ線管２１、絞り２２、Ｘ線検出器２３、及びＤＡＳ２４を一体として保持する。回転部２５は、Ｘ線管２１とＸ線検出器２３とを対向させた状態で、Ｘ線管２１、絞り２２、Ｘ線検出器２３、及びＤＡＳ２４を一体として患者Ｏの周りに回転できるように構成されている。なお、回転部２５の回転中心軸と平行な方向をｚ軸方向、そのｚ軸方向に直交する平面をｘ軸方向、ｙ軸方向で定義する。
【００３０】
高電圧供給装置２６は、撮像コントローラ２９による制御によって、Ｘ線の照射に必要な電力をＸ線管２１に供給する。
【００３１】
絞り駆動装置２７は、撮像コントローラ２９による制御によって、絞り２２におけるＸ線のスライス方向の照射範囲を調整する機構を有する。
【００３２】
回転駆動装置２８は、撮像コントローラ２９による制御によって、回転部２５がその位置関係を維持した状態で空洞部の周りを回転するように回転部２５を回転させる機構を有する。
【００３３】
撮像コントローラ２９は、ＣＰＵ及びメモリによって構成される。撮像コントローラ２９は、Ｘ線管２１、Ｘ線検出器２３、ＤＡＳ２４、高電圧供給装置２６、絞り駆動装置２７、及び回転駆動装置２８等の制御を行なうことで、寝台装置３０の動作を伴ってスキャンを実行させる。
【００３４】
放射線治療システム１の寝台装置３０は、天板３３、天板駆動装置３２、及び寝台コントローラ３９を備える。
【００３５】
天板３３は、患者Ｏを載置可能である。天板駆動装置３２は、寝台コントローラ３９による制御によって、天板３３をｙ軸方向に沿って昇降動させる機構と、天板３３をｚ軸方向に沿って進退動させる機構と、天板３３をｙ軸方向を軸として回転させる機構とを有する。
【００３６】
寝台コントローラ３９は、ＣＰＵ及びメモリによって構成される。寝台コントローラ３９は、天板駆動装置３２等の制御を行なうことで、Ｘ線ＣＴ装置２０ａの動作を伴ってスキャンを実行させる。また、寝台コントローラ３９は、天板駆動装置３２等の制御を行なうことで、放射線治療装置５０の動作を伴って放射線治療を実行させる。
【００３７】
放射線治療システム１の治療計画装置４０は、Ｘ線ＣＴ装置２０ａを用いて撮像されて画像表示装置１０によって生成されたスライスデータ及びボリュームデータを基に、放射線治療装置５０によって放射線治療を行なうための治療計画データを生成する。治療計画装置４０によって生成された治療計画データに基づく画像表示装置１０の制御の下、放射線治療装置５０によって患者Ｏの診療部位に放射線が照射される。
【００３８】
治療計画装置４０は、コンピュータをベースとして構成されており、図示しない病院基幹のＬＡＮ等のネットワークと相互通信可能である。治療計画装置４０は、大きくは、ＣＰＵ４１、メインメモリ４２、治療計画メモリ４３、ＨＤＤ４４、入力装置４５、及び表示装置４６等の基本的なハードウェアから構成される。なお、治療計画装置４０は、記録媒体ドライブを具備してもよい。
【００３９】
ＣＰＵ４１は、共通信号伝送路としてのバスを介して、治療計画装置４０を構成する各ハードウェア構成要素に相互接続されている。ＣＰＵ４１の構成は、画像表示装置１０のＣＰＵ１１の構成と同等である。操作者によって入力装置４５が操作等されることにより指令が入力されると、ＣＰＵ４１は、メインメモリ４２に記憶しているプログラムを実行する。又は、ＣＰＵ４１は、ＨＤＤ４４に記憶しているプログラム、ネットワークから転送されてＨＤＤ４４にインストールされたプログラム、又は記録媒体ドライブ（図示しない）に装着された記録媒体から読み出されてＨＤＤ４４にインストールされたプログラムを、メインメモリ４２にロードして実行する。
【００４０】
メインメモリ４２の構成は、画像表示装置１０のメインメモリ１２の構成と同等である。メインメモリ４２は、ＩＰＬ、ＢＩＯＳ及びデータを記憶したり、ＣＰＵ４１のワークメモリやデータの一時的な記憶に用いられたりする。
【００４１】
治療計画メモリ４３は、治療計画データを記憶する記憶装置である。
【００４２】
ＨＤＤ４４の構成は、画像表示装置１０のＨＤＤ１４の構成と同等である。
【００４３】
入力装置４５は、画像表示装置１０の入力装置１５の構成と同等である。
【００４４】
表示装置４６は、画像表示装置１０の表示装置１６の構成と同等である。
【００４５】
治療計画装置４０は、Ｘ線ＣＴ装置２０ａによって生成された画像データを基に、患者Ｏの治療部位の位置及び治療部位の形状を求め、治療部位に照射すべき放射線（Ｘ線、電子線、中性子線、陽子線、又は重粒子線等）や、そのエネルギー、及び照射野を決定する。
【００４６】
放射線治療システム１の放射線治療装置５０は、一般的にＭＶ級の放射線を発生させることができる。放射線治療装置５０は、放射線の発生口部分に絞り（コリメータ）を設置し、絞りによって治療計画に基づく照射形状及び線量分布を実現する。近年は、絞りとして複数の可動リーフにより複雑な腫瘍の形状に対応した線量分布を形成することができるマルチリーフコリメータ（ＭＬＣ）が多く用いられる。放射線治療装置５０は、絞りによって形成される照射野により放射線の照射量を調整し、患者Ｏの癌や腫瘍などの治療部位を消滅又は縮小させる。なお、Ｘ線ＣＴ装置２０ａ、寝台装置３０、及び放射線治療装置５０の組み合わせは、「ライナック−ＣＴ」と呼ばれる。
【００４７】
放射線治療装置５０は、放射線源としての放射線源５１、絞り５２、アーム部５５、高電圧供給装置５６、絞り駆動装置５７、回転駆動装置５８、及び治療コントローラ５９を備える。
【００４８】
放射線源５１は、高電圧供給装置５６から供給された管電圧に応じて放射線を発生させる。
【００４９】
絞り５２は、絞り駆動装置５７によって、放射線源５１から照射される放射線の照射範囲を調整する。すなわち、絞り駆動装置５７によって絞り５２の開口を調整することによって、放射線の照射範囲を変更できる。
【００５０】
アーム部５５は、放射線源５１及び絞り５２を一体として保持する。アーム部５５は、放射線源５１及び絞り５２を一体として患者Ｏの周りに回転できるように構成されている。
【００５１】
高電圧供給装置５６は、治療コントローラ５９による制御によって、放射線の照射に必要な電力を放射線源５１に供給する。
【００５２】
絞り駆動装置５７は、治療コントローラ５９による制御によって、絞り５２における放射線の照射範囲を調整する機構を有する。
【００５３】
回転駆動装置５８は、治療コントローラ５９による制御によって、アーム部５５と支持部との接続部を中心として回転するようにアーム部５５を回転させる機構を有する。
【００５４】
治療コントローラ５９は、ＣＰＵ及びメモリによって構成される。治療コントローラ５９は、治療計画装置４０によって生成される治療計画データに従って放射線源５１、高電圧供給装置５６、及び絞り駆動装置５７等の制御を行なうことで、寝台装置３０の動作を伴って治療のための放射線の照射を実行させる。
【００５５】
図３は、本実施形態の放射線治療システム１の機能を示すブロック図である。
【００５６】
画像表示装置１０のＣＰＵ１１及び治療計画装置４０のＣＰＵ４１がプログラムを実行することによって、放射線治療システム１は、図３に示すように、撮像実行部６１、画像データ生成部６２、治療計画データ生成部６３、インターフェース部６４、インターフェース部６５、第１の記憶部６６、第２の記憶部６７、画像データ入力部６８、前処理再現部６９、位置合わせ実行部７０、確認作業再現部７１、及び治療実行部７２として機能する。なお、放射線治療システム１の構成要素６１乃至７２の全部又は一部は、放射線治療システム１にハードウェアとして備えられるものであってもよい。
【００５７】
画像表示装置１０の撮像実行部６１は、Ｘ線ＣＴ装置２０ａの撮像コントローラ２９と寝台装置３０の寝台コントローラ３９との動作を制御して、治療計画用に、患者Ｏの治療部位を含む領域の撮像を実行させる機能を有する。また、撮像実行部６１は、Ｘ線ＣＴ装置２０ａの撮像コントローラ２９と寝台装置３０の寝台コントローラ３９との動作を制御して、治療計画後、例えば治療直前に、患者Ｏの治療部位を含む領域の撮像を実行させる機能を有する。
【００５８】
画像表示装置１０の画像データ生成部６２は、撮像実行部６１によってＸ線ＣＴ装置２０ａが取得する透過データに画像再構成処理等の処理を施して２次元画像データとしてのスライスデータを生成する機能を有する。また、画像データ生成部６２は、複数スライスに相当するスライスデータを基に３次元画像データとしてのボリュームデータを生成する機能を有する。
【００５９】
例えば、画像データ生成部６２は、治療計画用の撮像によってスライスデータを生成し、治療計画装置４０による治療計画用のボリュームデータ（以下、これを治療計画ボリュームデータともいう。）ＶＰを生成する。また、画像データ生成部６２は、放射線治療装置５０による治療直前の撮像によってスライスデータを生成し、治療直前のボリュームデータ（以下、これを治療直前ボリュームデータともいう。）ＶＱを生成する。画像データ生成部６２によって生成されたボリュームデータＶＰ，ＶＱは、画像メモリ１３等の記憶装置にそれぞれ記憶される。
【００６０】
なお、画像データ生成部６２で生成された治療直前ボリュームデータＶＱは、患者Ｏの位置を確認するための位置確認用画像データＶＳとして使用される。
【００６１】
治療計画装置４０の治療計画データ生成部６３は、画像メモリ１３に記憶された治療計画ボリュームデータＶＰを基に患者Ｏの体輪郭及び患部領域等を考慮して、照射方向、門数、及び放射線強度等の照射条件を設定して治療計画を設定することで、治療計画データを生成する機能を有する。なお、門数とは、放射線を当てる方向の数のことをいう。
【００６２】
治療計画データ生成部６３は、治療計画データを生成する際、治療計画ボリュームデータＶＰを基に、所要領域、例えば、放射線を当てたくないＯＡＲ（Organ At Risk）の輪郭ＳＰを設定することができる。また、治療計画データ生成部６３は、治療計画データを生成する際、比較点（アイソセンタ）を設定することもできる。
【００６３】
なお、治療計画データ生成部６３は、放射線治療システム１を構成するＸ線ＣＴ装置２０ａによって生成された治療計画ボリュームデータＶＰを基に治療計画データを生成するものとして説明するが、その場合に限定されるものではない。
【００６４】
例えば、治療計画データ生成部６３は、放射線治療システム１の外部の撮像装置によって生成された治療計画ボリュームデータを基に治療計画データを生成する場合もある。治療計画データ生成部６３によって生成された治療計画データは、治療計画メモリ４３等の記憶装置に記憶される。なお、治療計画データ生成部６３は、治療計画ボリュームデータＶＰも治療計画メモリ４３に記憶させる。
【００６５】
治療計画装置４０のインターフェース部６４は、治療計画ボリュームデータＶＰに基づく表示画像を表示装置４６に表示し、操作者が操作する入力装置４５を介して表示画像上で設定や選択の受付を可能とするＧＵＩ等のインターフェースである。
【００６６】
画像表示装置１０のインターフェース部６５は、画像メモリ１３に記憶された治療直前ボリュームデータＶＱに基づく表示画像を表示装置１６に表示し、操作者が操作する入力装置１５を介して表示画像上で設定や選択の受付を可能とするＧＵＩ等のインターフェースである。
【００６７】
画像表示装置１０の第１の記憶部６６は、患者（被検体）Ｏの治療を計画するために撮像して得られる治療計画ボリュームデータ（治療計画用画像データ）ＶＰと、患者Ｏを治療する際に撮像して得られる位置確認用画像データＶＳ（治療直前ボリュームデータＶＱ）との位置合わせを実行するための前処理の内容を、治療前に予め記憶する機能を有する。例えば、第１の記憶部６６は、入力装置１５とインターフェース部６５とを介し、位置合わせの方法や位置合わせの領域などの設定を、前処理（重ね合せの条件）として受け付けて、その設定の内容を記憶する。
【００６８】
画像表示装置１０の第２の記憶部６７は、治療計画ボリュームデータＶＰと位置確認用画像データＶＳの位置合わせを実行し重ね合わせた合成画像データ（所謂、フュージョン画像データである。）に対し、操作者がその合成画像データを確認する確認作業の内容を、治療前に予め記憶する機能を有する。例えば、第２の記憶部６７は、入力装置１５とインターフェース部６５とを介し、位置合わせを実行した合成画像データの拡大や縮小の設定や、位置確認用画像データＶＳの画像濃度を反転させる設定（後述するグレースケール反転の設定）などを、確認作業の内容として受け付けて、その設定の内容を記憶する。
【００６９】
画像表示装置１０の画像データ入力部６８は、治療計画ボリュームデータＶＰと位置確認用画像データＶＳを位置合わせのために入力する機能を有する。例えば、画像データ入力部６８は、治療計画メモリ４３に記憶されている治療計画ボリュームデータＶＰを入力するとともに、画像メモリ１３に記憶されている位置確認用画像データＶＳを入力する。
【００７０】
画像表示装置１０の前処理再現部６９は、入力された治療計画ボリュームデータＶＰと位置確認用画像データＶＳに対し、第１の記憶部６６に記憶された前処理の内容を読み出してその前処理の内容を再現する機能を有する。例えば、前処理再現部６９は、予め記憶された位置合わせの方法や位置合わせの領域などの設定に従って、治療計画ボリュームデータＶＰと位置確認用画像データＶＳとの位置合わせを実行するための前処理を再現する。
【００７１】
画像表示装置１０の位置合わせ実行部７０は、再現された前処理の内容に基づいて、治療計画ボリュームデータＶＰと位置確認用画像データＶＳの位置合わせを実行する機能を有する。
【００７２】
画像表示装置１０の確認作業再現部７１は、位置合わせが実行された治療計画ボリュームデータＶＰと位置確認用画像データＶＳに基づく合成画像データに対し、第２の記憶部６７に記憶された確認作業の内容を読み出してその確認作業の内容を再現する機能を有する。例えば、確認作業再現部７１は、位置合わせを実行した合成画像データの拡大や縮小の設定や、位置確認用画像データＶＳの画像濃度を反転させる設定（グレースケール反転の設定）を再現する。
【００７３】
画像表示装置１０の治療実行部７２は、入力装置１５とインターフェース部６５を介して操作者による結果確認を受け付け、放射線治療装置５０の治療コントローラ５９と寝台装置３０の寝台コントローラ３９との動作を制御して、患者Ｏの治療部位の治療を実行させる機能を有する。
【００７４】
続いて、本実施形態の放射線治療システム１の作業自動化設定処理について、フローチャートを用いて説明する。なお、放射線治療システム１の作業自動化設定処理は、処理を開始する前に、治療計画作成処理と事前設定処理とを実行するようになっている。
【００７５】
（治療計画作成処理）
図４は、本実施形態の放射線治療システム１が、治療計画ボリュームデータＶＰを生成し記憶する治療計画作成処理を示すフローチャートである。
【００７６】
放射線治療システム１の寝台装置３０の天板３３上に患者Ｏが載せられると、放射線治療システム１は、寝台装置３０の寝台コントローラ３９の動作を制御して、天板３３をＸ線ＣＴ装置２０ａの開口部に挿入する。
【００７７】
次いで、放射線治療システム１は、図４のフローチャートに示すように、Ｘ線ＣＴ装置２０ａの撮像コントローラ２９の動作を制御して、治療計画用に、患者Ｏの治療部位を含む領域の撮像を実行する（ステップＳＴ１）。
【００７８】
そして、放射線治療システム１は、ステップＳＴ１によってＸ線ＣＴ装置２０ａが取得する透過データに画像再構成処理等の処理を施して、２次元画像データとしてのスライスデータを生成し、複数スライスに相当するスライスデータを基に３次元画像データとしての治療計画ボリュームデータＶＰを生成する（ステップＳＴ２）。
【００７９】
ステップＳＴ２によって生成された治療計画ボリュームデータＶＰは、画像メモリ１３等の記憶装置に記憶される（ステップＳＴ３）。
【００８０】
放射線治療システム１は、ステップＳＴ３によって画像メモリ１３に記憶された治療計画ボリュームデータＶＰを基に患者Ｏの体輪郭及び患部領域等を考慮して、照射方向、門数、及び放射線強度等の照射条件を設定して治療計画を設定することで、治療計画データを生成する（ステップＳＴ４）。
【００８１】
放射線治療システム１は、ステップＳＴ４によって生成された治療計画データと、治療計画ボリュームデータＶＰを、治療計画メモリ４３の記憶装置に記憶する（ステップＳＴ５）。
【００８２】
ステップＳＴ１によって患者Ｏの治療部位を含む領域の撮像が終了すると、放射線治療システム１は、寝台装置３０の寝台コントローラ３９の動作を制御して、天板３３をＸ線ＣＴ装置２０ａの開口部から退避させる。次いで、放射線治療システム１の寝台装置３０の天板３３から患者Ｏが降ろされる。
【００８３】
次に、本実施形態の放射線治療システム１において、前処理の内容や確認作業の内容を治療前に設定する事前設定処理について、フローチャートを用いて説明する。
【００８４】
（事前設定処理）
図５は、本実施形態の放射線治療システム１が、治療計画ボリュームデータＶＰと位置確認用画像データＶＳとに対し、前処理の内容と確認作業の内容を治療前に設定する事前設定処理を示すフローチャートである。
【００８５】
まず、医師等の操作者は、画像表示装置１０の入力装置１５を操作して、患者Ｏの治療を計画するために撮像して得られる治療計画ボリュームデータＶＰと、患者Ｏを治療する際に撮像して得られる位置確認用画像データＶＳとの位置合わせを実行するための前処理の内容を、治療前に予め設定する。放射線治療システム１は、画像表示装置１０の入力装置１５とインターフェース部６５を介して、前処理の内容の設定を受け付ける（ステップＳＴ１１）。
【００８６】
図６は、本実施形態の放射線治療システム１において、前処理の内容として、治療計画ボリュームデータＶＰと位置確認用画像データＶＳとを重ね合せるための条件の一例を示した説明図である。
【００８７】
図６では、前処理の設定内容を示す前処理作業として、手順１の設定内容を示している。例えば、手順１では、７つの項目が例示されており、位置合わせの方法、位置合わせの領域、ＷＬ／ＷＷ、拡大・縮小、パン、カラーマップ選択、及びアイソセンタ位置指定の項目が示されている。
【００８８】
位置合わせの方法では、Ｇｒｅｙが設定されている。Ｇｒｅｙとは、画像データの画像濃度（またはピクセル値（輝度値））などによって位置合わせを行う方法のことである。位置合わせの方法には、Ｇｒｅｙの他に、骨の位置によって位置合わせを行うＢｏｎｅという方法がある。Ｂｏｎｅとは、臨床的には骨ベースで位置合わせを行うことであり、骨の領域をＣＴ値で特定し、位置合わせを行うようになっている。
【００８９】
位置合わせの領域指定では、Ｃｌｉｐが設定されている。Ｃｌｉｐとは、矩形の領域により位置合わせの領域を設定することを示している。位置合わせの領域指定には、Ｃｌｉｐの他に、腫瘍や臓器の領域（例えば、治療部位）などにより領域指定を設定することもできる。
【００９０】
ＷＬ／ＷＷでは、ウィンドウ機能のウィンドウ設定を示しており、ＷＷはウィンドウ幅（Window Width）を示すとともに、ＷＬはウィンドウレベル（Window Level）を示している。Ｘ線ＣＴ装置の濃度スケールは、８ビット（２５６階調）で行われ、例えば、ＷＬを５０に設定し、ＷＷを１００に設定した場合、ＣＴ値５０を中心として、幅１００の範囲、すなわち、ＣＴ値０から１００の範囲が濃淡表示される。
【００９１】
拡大・縮小では、治療計画ボリュームデータＶＰと位置確認用画像データＶＳとを重ね合せ、重ね合せたその合成画像データ（フュージョン画像データ）に対して、拡大または縮小を設定するようになっている。図６では、一例として、９８％が設定されている。拡大・縮小は、治療計画ボリュームデータＶＰを参考に、表示装置１６の表示画面において合成画像データの合成画像が見やすい倍率となるように設定される。
【００９２】
パンでは、表示装置１６において、合成画像データのずらす位置を示している。例えば、表示装置１６の表示画面において、合成画像データをどの程度ずらすかを設定することができ、図６では、ｘ軸方向０（ｍｍ）、ｙ軸方向０（ｍｍ）、ｚ軸方向７２（ｍｍ）の位置、すなわち、ｚ軸方向に７２（ｍｍ）ずらすことを示している。パンの設定も同様に、治療計画ボリュームデータＶＰを参考に、表示装置１６の表示画面において合成画像データの合成画像が見やすい位置となるように設定される。
【００９３】
カラーマップは、合成画像データの合成画像を表示する際の色を設定するようになっている。例えば、Ｇｒｅｅｎ、Ｏｒａｎｇｅ、Ｂｌｕｅなどを選択することができ、図６では、Ｏｒａｎｇが設定されている。
【００９４】
アイソセンタ位置指定とは、治療計画ボリュームデータＶＰにおける比較点を意味しており、例えば、治療計画データ生成部６３において、治療計画ボリュームデータＶＰに比較点を設定した場合に設定することできる。図６では、座標として、ｘ軸方向０（ｍｍ）、ｙ軸方向６７（ｍｍ）、ｚ軸方向０（ｍｍ）の位置に設定されている。
【００９５】
なお、これらの項目は、前処理作業としての例示であって、これらの設定内容に限定されるものではない。また、前処理作業として手順１の設定内容を例示したが、複数の手順（複数のテンプレート）を予め設け、患者Ｏや治療部位に応じて、設定内容を手順によって切り替えるようにしてもよい。
【００９６】
図５のフローチャートに戻り、画像表示装置１０の第１の記憶部６６は、操作者によって設定された前処理の内容を、治療前に予め記憶する（ステップＳＴ１２）。
【００９７】
次に、医師等の操作者は、画像表示装置１０の入力装置１５を操作して、治療計画ボリュームデータＶＰと位置確認用画像データＶＳの位置合わせを実行し重ね合わせた合成画像データに対し、操作者がその合成画像データを確認する確認作業の内容を、治療前に予め設定する。放射線治療システム１は、画像表示装置１０の入力装置１５とインターフェース部６５を介して、確認作業の内容の設定を受け付ける（ステップＳＴ１３）。
【００９８】
図７は、本実施形態の放射線治療システム１において、治療計画ボリュームデータＶＰと位置確認用画像データＶＳの位置合わせを実行し重ね合わせた合成画像データに対し、操作者がその合成画像データを確認する確認作業の内容の一例を示した説明図である。
【００９９】
図７では、確認作業の内容として手順５の設定内容を示している。例えば、手順５では、６つの項目が例示されており、スライス移動、拡大・縮小、連動カーソル表示、グレースケール反転、位置ずれ結果、及び輪郭情報表示の項目が示されている。
【０１００】
スライス移動では、治療計画ボリュームデータＶＰと位置確認用画像データＶＳとを重ね合せた合成画像データに対し、ｘ軸方向、ｙ軸方向、ｚ軸方向（図１を参照）の３断面を確認するスライス面の枚数を設定する。
【０１０１】
例えば、ｘ軸方向を示すＸ：０−１０は、ｘ軸方向のスライス面を０枚目から１０枚目まで確認することを示している。また、ｙ軸方向を示すＹ：１０−５０は、ｙ軸方向のスライス面を１０枚目から５０枚枚目まで確認することを示している。また、ｚ軸方向を示すＺ：０−２０は、ｚ軸方向のスライス面を０枚目から２０枚目まで確認することを示している。なお、このスライス移動では、各方向において、合成画像データの状態（フュージョン画像を表示した状態）で、スライス面を連続的にパラパラとめくりながら確認するようになっている。
【０１０２】
拡大・縮小では、図６に示した拡大・縮小と同様に、合成画像データに対し、拡大または縮小を設定するようになっている。図７では、例示として、９８％が設定されている。
【０１０３】
連動カーソル表示とは、治療計画ボリュームデータＶＰと位置確認用画像データＶＳを２画面で表示した場合に、例えば、治療計画ボリュームデータＶＰ上でカーソルを移動させると、位置確認用画像データＶＳ上のカーソルも連動（対応）して移動する機能のことをいう。なお、図７では、連動カーソル表示は、ＯＦＦとなっている。
【０１０４】
グレースケール反転とは、例えば、位置確認用画像データＶＳ（治療直前ボリュームデータＶＱや治療直前に撮像された当日画像データなど）のＸ線ＣＴ値の濃度を反転させる機能のことである。グレースケール反転をＯＮにした場合、位置確認用画像データＶＳを反転させた状態で治療計画ボリュームデータＶＰに重ね合せ、位置合わせが正確に一致していた場合には、合成画像データの合成画像は単純な灰色一色になる。
【０１０５】
なお、本実施形態では、位置確認用画像データＶＳや治療直前ボリュームデータＶＱのＸ線ＣＴ値の濃度を反転させ、治療計画ボリュームデータＶＰに重ね合せることが望ましいが、これに限定されるものではない。例えば、治療計画ボリュームデータＶＰのＸ線ＣＴ値の濃度を反転させる形態であってもよい。
【０１０６】
位置ずれ結果とは、治療計画ボリュームデータＶＰと位置確認用画像データＶＳとの位置ずれ結果を記録する機能のことをいう。記録をＯＮにすることにより、毎回の検査記録を自動的に証拠（エビデンス）として残すことができるとともに、過去の検査時における位置ずれ結果を確認することができる。
【０１０７】
なお、位置ずれ結果を記録する処理に限定されるものではなく、例えば、自動的に位置ずれ結果を表示装置１６の表示画面に表示させたり、外部に印刷する設定を設けるようにしてもよい。
【０１０８】
輪郭情報表示とは、臓器や部位などの輪郭情報を表示する機能のことであり、合成画像データを表示する際の設定内容を示すテンプレートを用いて設定する。例えば、表示領域を設定するテンプレート（領域設定テンプレート）を予め準備し、Ｓｅｔ１では、撮像した合成画像データを全部表示する旨の設定にする。また、Ｓｅｔ２では、何も表示しない旨の設定にする。Ｓｅｔ３では、合成画像データの一部を表示する設定とし、例えば一部の臓器や一部の腫瘍の領域などを表示する設定とする。操作者は、複数の領域設定テンプレートの中から、表示させたい内容に合わせて、領域設定テンプレートを選択する。
【０１０９】
なお、これらの設定項目は、確認作業としての例示であって、これらに限定されるものではない。また、確認作業として手順５の設定内容を例示したが、複数の設定内容の手順を設け、患者Ｏや治療部位に応じて、手順によって切り替えるようにしてもよい。
【０１１０】
図５のフローチャートに戻り、画像表示装置１０の第２の記憶部６７は、操作者によって設定された確認作業の内容を、治療前に予め記憶し（ステップＳＴ１４）、事前設定処理を終了する。
【０１１１】
次に、本実施形態の放射線治療システム１において、前処理の内容や確認作業の内容を再現（再生）する作業自動化設定処理について、フローチャートを用いて説明する。
【０１１２】
（作業自動化設定処理）
図８は、本実施形態の放射線治療システム１が、治療計画ボリュームデータＶＰと位置確認用画像データＶＳとに対して位置合わせを実行し、治療計画ボリュームデータＶＰと位置確認用画像データＶＳとに基づく合成画像データに対し、確認作業の内容を再現する作業自動化設定処理を示すフローチャートである。
【０１１３】
放射線治療装置５０による治療が実行される直前に、放射線治療システム１の寝台装置３０の天板３３上に患者Ｏが載せられると、放射線治療システム１は、寝台装置３０の寝台コントローラ３９の動作を制御して、天板３３をＸ線ＣＴ装置２０ａの開口部に挿入する。
【０１１４】
次いで、放射線治療システム１は、図８のフローチャートに示すように、Ｘ線ＣＴ装置２０ａの撮像コントローラ２９の動作を制御して、治療直前に、患者Ｏの治療部位を含む領域の撮像を実行する（ステップＳＴ２１）。
【０１１５】
次に、放射線治療システム１は、ステップＳＴ２１によってＸ線ＣＴ装置２０ａが取得する透過データに画像再構成処理等の処理を施して２次元画像データとしてのスライスデータを生成し、複数スライスに相当するスライスデータを基に３次元画像データとしての治療直前ボリュームデータＶＱを生成する（ステップＳＴ２２）。
【０１１６】
ステップＳＴ２２によって生成された治療直前ボリュームデータＶＱは、画像メモリ１３の記憶装置に位置確認用画像データＶＳとして記憶される（ステップＳＴ２３）。
【０１１７】
放射線治療システム１の画像表示装置１０の画像データ入力部６８は、治療計画メモリ４３に記憶されている治療計画ボリュームデータＶＰを入力するとともに、画像メモリ１３に記憶されている位置確認用画像データＶＳ（治療直前ボリュームデータＶＱ）を入力する（ステップＳＴ２４）。
【０１１８】
図９は、各ボリュームデータＶＰ，ＶＱに基づく表示画像の一例を模式的に示す図である。図９（ａ）では、治療計画ボリュームデータＶＰに基づく表示画像の一例を模式的に示している。図９（ｂ）では、治療直前ボリュームデータＶＱに基づく表示画像の一例を模式的に示している。
【０１１９】
図９（ａ）に示す表示画像と図９（ｂ）に示す表示画像とを比較すると、治療計画ボリュームデータＶＰと治療直前ボリュームデータＶＱと間で、患者Ｏ内の構造物に相当する構造物像にずれが生じていることを示している。
【０１２０】
放射線治療システム１の画像表示装置１０の前処理再現部６９は、入力された治療計画ボリュームデータＶＰと位置確認用画像データＶＳに対し、第１の記憶部６６に記憶された前処理の内容を読み出してその前処理の内容を再現する（ステップＳＴ２５）。
【０１２１】
画像表示装置１０の位置合わせ実行部７０は、再現された前処理の内容に基づいて、治療計画ボリュームデータＶＰと位置確認用画像データＶＳの位置合わせを実行する（ステップＳＴ２６）。
【０１２２】
画像表示装置１０の確認作業再現部７１は、位置合わせが実行された治療計画ボリュームデータＶＰと位置確認用画像データＶＳに基づく合成画像データに対し、第２の記憶部６７に記憶された確認作業の内容を読み出してその確認作業の内容を再現する（ステップＳＴ２７）。
【０１２３】
次いで、放射線治療システム１は、画像表示装置１０のインターフェース部６５を介して入力装置１５から、操作者による結果確認を受け付けるようになっており（ステップＳＴ２８）、操作者は、予め設定した確認作業を行う。
【０１２４】
例えば、画像表示装置１０の位置合わせ実行部７０は、治療計画ボリュームデータＶＰと位置確認用画像データＶＳの位置合わせを行った際の画像の位置ずれを自動的に計算し、操作者がその画像の位置ずれを確認する。
図１０は、ステップＳＴ２６において位置合わせを実行した際、画像の位置ずれを計算した位置ずれ結果を示した説明図である。
【０１２５】
図１０では、治療計画ボリュームデータＶＰに基づく表示画像と、位置確認用画像データＶＳとに基づく表示画像の位置ずれ結果を示している。一例として、位置確認用画像データＶＳは、治療計画ボリュームデータＶＰに対し、ｘ軸方向に１ｍｍ、ｙ軸方向に３ｍｍ、ｚ軸方向に２ｍｍずれていたことを示している。
【０１２６】
本実施形態では、ステップＳＴ２６において、自動的に画像の位置ずれを計算するようになっているが、これに限定されるものではない。例えば、画像の位置ずれを計算する計算開始ボタンを設け、操作者が計算開始ボタンを押下することによって画像の位置ずれを計算するようにしてもよい。
【０１２７】
また、例えば、図５に示したステップＳＴ１３の確認作業の内容の設定において、スライス移動の範囲を指定していた場合には、操作者は、その指定した範囲の合成画像データの合成画像を確認する。
【０１２８】
図１１は、甲状腺の周辺を撮像した合成画像データについて、ｘ軸方向に沿ってスライス移動する場合の一例を模試的に示した図である。
【０１２９】
図１１では、例えば、治療計画ボリュームデータＶＰと位置確認用画像データＶＳとを重ね合せた合成画像データに対し、ｘ軸方向にスライス面を１０枚分確認することを示している。具体的には、操作者は、図１１の紙面手前から紙面奥側方向に沿って、断面画像を１０枚分確認する。
【０１３０】
図１２は、甲状腺の周辺を撮像した合成画像データについて、ｙ軸方向に沿ってスライス移動する場合の一例を模試的に示した図である。
【０１３１】
図１２では、例えば、治療計画ボリュームデータＶＰと位置確認用画像データＶＳとを重ね合せた合成画像データに対し、ｙ軸方向にスライス面を４０枚分確認することを示している。具体的には、操作者は、図１２の紙面奥側から紙面手前方向に沿って、断面画像を４０枚分確認する。
【０１３２】
図１３は、甲状腺の周辺を撮像した合成画像データについて、ｚ軸方向に沿ってスライス移動する場合の一例を模試的に示した図である。
【０１３３】
図１３では、例えば、治療計画ボリュームデータＶＰと位置確認用画像データＶＳとを重ね合せた合成画像データに対し、ｚ軸方向にスライス面を２０枚分確認することを示している。具体的には、操作者は、図１３の紙面手前から紙面奥側方向に沿って、断面画像を２０枚分確認する。
【０１３４】
図８のフローチャートに戻り、放射線治療システム１は、画像表示装置１０の入力装置１５から結果確認を受け付け、治療を行うに当たり問題がないと判断された場合には（ステップＳＴ２８のＹＥＳ）、放射線治療装置５０の治療コントローラ５９と寝台装置３０の寝台コントローラ３９との動作を制御して、患者Ｏの治療部位の治療を実行する（ステップＳＴ２９）。
【０１３５】
ステップＳＴ２９において患者Ｏの治療部位の治療が終了すると、放射線治療システム１は、寝台装置３０の寝台コントローラ３９の動作を制御して、天板３３を放射線治療装置５０から退避させる。次いで、放射線治療システム１の寝台装置３０の天板３３から患者Ｏが降ろされ、作業自動化設定処理を終了する。
【０１３６】
一方、治療を行うに当たり問題があると判断された場合には（ステップＳＴ２８のＮＯ）、放射線治療システム１は、天板３３上の患者Ｏをずらして再セッティングが実施され（ステップＳＴ３０）、再度、治療直前の撮像を実行する（ステップＳＴ２１）。
【０１３７】
以上説明したように、本実施形態の放射線治療システム１によれば、予め前処理の内容や確認作業の内容を記憶しておくことができるので、検査や治療の際、記憶した前処理の内容や確認作業の内容を読み出すことにより、その前処理の内容や確認作業の内容を再現することができる。
【０１３８】
これにより、本実施形態の放射線治療システム１によれば、位置合わせ時の前処理の内容や合成画像データの確認作業の内容について設定の手間と設定に要する時間を削減することができる。
【０１３９】
また、前処理の内容や確認作業の内容は、そのまま記憶させておくことができるので、検査や治療の際、その記憶させた前処理の内容や確認作業の内容を読み出すことにより、何度でも前処理の内容や確認作業の内容を再現することができる。
【０１４０】
また、本実施形態は、上述した内容に限定されるものではなく、例えば、前処理の内容や確認作業の内容の少なくともいずれかは、患者Ｏごとまたは治療部位ごとに設定するようにしてもよい。
【０１４１】
例えば、治療直前に患者Ｏを撮像する前に、予め患者ごとに前処理の内容と確認作業の内容について設定しておき、患者Ｏが特定された場合には、自動的に前処理の内容と確認作業の内容が設定され、患者に応じた前処理の内容と確認作業の内容が再現されるようにしてもよい。
【０１４２】
また、治療部位についても同様に、予め治療部位ごとに前処理の内容と確認作業の内容について設定しておき、治療部位が特定された場合には、自動的に前処理の内容と確認作業の内容が設定され、治療部位に応じた前処理の内容と確認作業の内容が再現されるようにしてもよい。
【０１４３】
また、前処理の内容や確認作業の内容の少なくともいずれかは、操作者ごとに設定の内容を記憶させるようにしてもよい。
【０１４４】
この場合、操作者は、第１の記憶部６６における前処理の内容と、第２の記憶部６７における確認作業の内容を、予め組み合わせて記憶させることができ、操作者の使用頻度の高い手順の組み合わせを設定することができる。
【０１４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４６】
１  放射線治療システム
１０  画像表示装置
２０  撮像装置
２０ａ  Ｘ線ＣＴ装置
２９  撮像コントローラ
３０  寝台装置
３３  天板
３９  寝台コントローラ
４０  治療計画装置
５０  放射線治療装置
５９  治療コントローラ
６１  撮像実行部
６２  画像データ生成部
６３  治療計画データ生成部
６４  インターフェース部
６５  インターフェース部
６６  第１の記憶部
６７  第２の記憶部
６８  画像データ入力部
６９  前処理再現部
７０  位置合わせ実行部
７１  確認作業再現部
７２  治療実行部
【図１】
0006452987.tif 000002
【図２】
0006452987.tif 000003
【図３】
0006452987.tif 000004
【図４】
0006452987.tif 000005
【図５】
0006452987.tif 000006
【図６】
0006452987.tif 000007
【図７】
0006452987.tif 000008
【図８】
0006452987.tif 000009
【図９】
0006452987.tif 000010
【図１０】
0006452987.tif 000011
【図１１】
0006452987.tif 000012
【図１２】
0006452987.tif 000013
【図１３】
0006452987.tif 000014